(57)【要約】【課題】  引戸の走行に伴って常時床面に配置した溝条を有するレールを清掃して常に引戸の円滑な開閉を可能にするものであり、特に引戸に対する車輪の高さ位置を調節しても確実に清掃機能を発揮することを可能にする。【解決手段】  床面に配置したレール７を走行する車輪３１を下端面から突出させた状態で支持した走行体３を下面２２が開放された引戸１０への取付けケース２に上下方向位置を調節可能な状態で支持させた引戸用の戸車１であって、下面にレール７に当接するブラシ４２を立設させたブラシ部材４が走行体３の下部に揺動可能に付設されている。【選択図】      図２
2008025300.tif 000002
【特許請求の範囲】
【請求項１】
床面に配置したレールを走行する車輪を下端面から突出させた状態で支持した走行体を下面が開放された引戸への取付けケースに上下方向位置を調節可能な状態で支持させた引戸用の戸車であって、下面に前記レールに当接するブラシを立設させたブラシ部材が前記走行体の下部に揺動可能に付設されていることを特徴とする引戸用の戸車。
【請求項２】
前記ブラシ部材は下面にブラシを植設したブラシ板が前記車輪を走行体に支持する車軸において前記車輪を挟んで両側に揺動可能に軸支された一対の側板の下端に架設されており、且つ前記ブラシ板に前記車輪の一部を下方に突出させるための透窓が形成されている請求項１記載の引戸用の戸車。
【請求項３】
前記走行体は前後方向への偏心位置において前記ケースに軸着されているともに前記ケースの正面側の端壁から挿入・配置した高さ方向位置調節ねじを介して前記走行体を前記ケースへの支軸を中心として回動させることにより前記車輪およびブラシ部材を一体的に且つブラシ部材を揺動可能な状態で高さ位置を調節可能とした請求項１または２に記載の引戸用の戸車。
【請求項４】
前記ブラシはその断面が前記レールの溝条の断面に合わせた形状である請求項１，２または３に記載の引戸用の戸車。
【請求項５】
前記ブラシはブラシ板の下面に直接植設されている請求項１，２，３または４に記載の引戸用の戸車。
【請求項６】
前記ブラシはブラシ板の下面にブラシを植設したテープ材が貼着されている請求項１，２，３または４に記載の引戸用の戸車。
【発明の詳細な説明】
【技術分野】
【０００１】
本発明は、引戸の下端面に取り付けて引戸の開閉を円滑に行わせるための引戸用の戸車であって、特に、床面に配置されたレールに堆積する埃や塵、例えば頭髪やペットの毛、その他の異物を開閉操作により排除する引戸用の戸車に関するものである。
【背景技術】
【０００２】
従来、引戸の開閉を円滑に行わせるために床面に配置したレールを走行させる戸車が引戸の下端面に設置されている。
【０００３】
ところで、通常、引戸の下端面に配置された戸車は、床面に配設されたレール上を走行するが、前記レールの走行面は溝条に形成されている。そのため、溝条に塵や埃、更には頭髪やペットの毛など、その他の異物が堆積したり、入り込んだりして車輪の円滑な走行を阻害する場合があり、このような事態を防ぐためには電気掃除機や箒などの掃除具により常時掃除をしておくことが必要であり、きわめて面倒であり、手間が掛かる。
【０００４】
そこで、例えば実用新案登録第３０９１１９５号公報に提示されているように、引戸式の自動ドアなどにおいては扉の一部にブラシ板を付設してレール面に付着、或いは堆積する塵や埃などを自動的に排除する手段が講じられている。
【０００５】
しかしながら、前記自動ドアの開閉に伴ってレール上を移動するブラシ板は例えば鴨居部分等に架設した吊り下げ用のレールであり、溝条を有して床面に設置されるレールについてそのまま適用することは困難であり、特に、ブラシ板は直接扉体に付設されるものであり、近頃の引戸に用いられているような車輪の高さ位置を調整可能としたものについてはブラシの部分がレールから遠かったり、或いは近すぎて正常な清掃作業を発揮させることはきわめて困難である。また、塵埃やペットの抜け毛などのような多くのゴミや異物が散乱している床面に配設した引戸用のレールを充分に清掃することは困難である。
【特許文献１】実用新案登録第３０９１１９５号公報
【発明の開示】
【発明が解決しようとする課題】
【０００６】
本発明は、上記のような問題点を解決するためになされたものであり、引戸の走行に伴って常時床面に配置した溝条を有するレールを清掃して常に円滑な車輪の走行、つまり、引戸の円滑な開閉を可能にするものであり、特に引戸に対する車輪の高さ位置を調節しても確実に清掃機能を発揮することが可能な引戸用の戸車を提供することを課題とする。
【課題を解決するための手段】
【０００７】
前記課題を解決するためになされた本発明は、  床面に配置したレールを走行する車輪を下端面から突出させた状態で支持した走行体を下面が開放された引戸への取付けケースに上下方向位置を調節可能な状態で支持させた引戸用の戸車であって、下面に前記レールに当接するブラシを立設させたブラシ部材が前記走行体の下部に揺動可能に付設されていることを特徴とする。
【０００８】
本発明は従来の引戸用の戸車と同様に引戸の下端面に沿って取り付けるだけでよく、そのまま引戸を開閉すればブラシ板の下面に植設させたブラシがレールに当接した状態で走行するのでブラシがレールを自動的に清掃する。また、本発明はブラシ板が前記走行体の下部に揺動可能に付設されているので走行時にブラシ板が常時水平に保たれてブラシ全体を平均させてレールに当接させることにより確実にレールの清掃ができ、特に、ブラシ板が車輪を下端面から突出させた状態で支持した走行体に支持されているので走行体の高さ位置が調節されてもブラシ板はレールとの距離を常に一定に保つので別途に高さ位置を調節する必要がない。
【０００９】
また、本発明において、前記ブラシ部材は下面にブラシを植設したブラシ板が前記車輪を走行体に支持する車軸において前記車輪を挟んで両側に揺動可能に軸支された一対の側板の下端に架設されており、且つ前記ブラシ板に前記車輪の一部を下方に突出させるための突出窓が形成されている合には、車輪が走行するレールの前後左右方向を確実に清掃する。また、ブラシが車輪の周囲を囲んで配置されるので走行音が吸収されて防音効果を発揮することができる。
【００１０】
更に、本発明において、前記走行体が前記ケースの正面側の端壁に挿入・配置した上下位置調節ねじを介して前記走行体を前記ケースへの支軸を中心として回動させることにより前記車輪およびブラシ部材を一体的に且つブラシ部材を揺動可能な状態で高さ位置を調節可能とした場合には引戸をレールに立て付けた状態で木口に露出した前記ケースの側面から挿入・配置した高さ方向位置調節ねじを介して車輪とブラシ板の高さ位置を一度に調節することとができる。
【００１１】
更にまた、前記ブラシの断面が前記レールの溝条の断面に合わせた形状である場合には、ブラシがレールの溝条に沿って立った状態でレールに接するので清掃効果が高いとともにブラシに余分な負荷が作用しないので無駄な消耗が防げる。
【発明の効果】
【００１２】
本発明によれば、引戸の走行に伴って常時床面に配置したレールを清掃して常に円滑な車輪の走行、つまり、引戸の円滑な開閉を可能にするものであり、特に引戸に対する車輪の高さ位置を調節してもそのまま確実に清掃機能を発揮することが可能な引戸用の戸車を提供することができる。
【発明を実施するための最良の形態】
【００１３】
以下に、図面を参照して本発明を実施するための最良の形態を説明する。
【００１４】
図１乃至図７は本発明の好ましい実施の形態の一例を示すものであり、本発明である引戸用の戸車１は、主として、下面２２が開放された引戸１０への取付けケース２と、車輪３１を支持するとともに前記取付けケース２に上下方向及び幅方向位置を調節可能な状態で支軸３２により支持させた少なくとも下面を開放した走行体３と、前記走行体３に支持されたブラシ板４とから構成され、引戸１０の走行方向と直交する木口面１１と下端面１２とにより形成される左右の両角部に取付けケース２の端壁２１と下面２２とを露出させた状態で埋設されて取り付けねじ５によって引戸１０に固定されている。
【００１５】
更に詳しく説明すると、取付けケース２は例えば硬質の合成樹脂により形成され、その正面側の端壁２２には前記走行体３に車軸３３により支持された車輪３１の上下方向位置と幅方向位置を調整するスクリュ式の上下方向位置調整ねじ５１と幅方向位置調整ねじ５２が頭部である操作部を露出させた状態で装着されており、これらの上下方向位置調整ねじ５１と幅方向位置調整ねじ５２を含む上下方向位置調整機構６１と幅方向位置調整機構６２が取付けケース２に内蔵されている。
【００１６】
特に、本実施の形態における上下方向位置調整機構６１は、上下方向位置調整ねじ５１とこれに螺合するとともに下部を前記走行体３の上部に形成した切り込み３４に嵌合する移動片５３とにより形成され、引戸１０を前記上下方向位置調整ねじ５１を回動させると、前記移動片５３が車輪３１の走行方向に移動して走行体３を支軸３２を中心として回動し、車輪３１の取付けケース２に対する上下位置が調整される。
【００１７】
また、本実施の形態における前記幅方向位置調節機構６２は、前記幅方向位置調整ねじ５２と、その先端に偏心して設けられた円板６３と、前記走行体３に挟まれて支持されたほぼ楕円形の透孔６４を有するスライダー６５で構成され、前記幅方向位置調整ねじ５２を回動することにより偏心して設けられた円板６３が回動し、スライダー６５を取り付けた走行体３が幅方向に移動して調整される。尚、取付ケース２の端壁２２の裏面とスライダー６５との間にコイルばね６６が介装されておりこのコイルばねの付勢力と、摩擦板６７とにより所望の幅方向調整に走行体を保持させておくことができる。
【００１８】
更に、前記走行体３に支持されたブラシ部材４は、下面にブラシ４１を植設置するとともに中央に前記車輪３１の透窓４６を形成したブラシ板４２とこのブラシ板４２の前後方向の端縁に沿って対向して立設した側板４３，４３とからなり、前記側板４３，４３の上部に形成した取付孔４４，４４を、走行体３に支持される車軸３３おいてそれぞれ前記車輪３１を挟んで両側に揺動可能に軸支されている。
【００１９】
特に、本実施の形態では、前記ブラシ４１は図６に示すように、例えば硬質合成樹脂製のブラシ板４２の下面に合成樹脂の線材や獣毛などにより形成されるブラシ毛を直接植毛することにより形成されており、優れた耐久性を発揮させることができる。しかしながら。例えば図７に示した別の実施の形態のように、予めブラシ毛を植毛するとともに車輪３１の突出窓を形成したテープ材４５をブラシ板４２の下面に接着或いは貼着させることにより形成することも可能であり、特に、ブラシ板４２として直接植毛が困難な金属などにより形成する場合に有効である。
【００２０】
更にまた、本実施の形態では前記ブラシ４１は図５（ａ）に示すように、その端面が前記レール７の溝条７１の断面に合わせた形状に設定されている。
【００２１】
以上の構成を有する本実施の形態は、従来のこの種の引戸用の戸車と同様に、引戸１０の下端面１２と木口面１１とに形成された取付凹部１３に取付けケース２を嵌め込み取付ねじ５により固定し、車輪３１をレール７の溝条７１に嵌挿させて走行可能にたてつければよい。
【００２２】
このとき、走行体３に付設したブラシ部材４がレール７の表面並びに溝条７１内に接触するので、そのまま引戸１０をレール７に沿って走行させれば走行体３に付設したブラシ部材４のブラシ板４１の下面に植設させたブラシ４２がレール７に当接した状態で走行するのでブラシ４３がレール７を自動的に清掃する。
【００２３】
また、本実施の形態はブラシ４２を植設させたブラシ板４１が前記走行体３の下部に側板４３，４３を介して支軸３２に揺動可能に付設されているので走行時にブラシ板４１が常時レール７に水平に保たれてブラシ４２を確実にレール７の表面および溝条７１に当接させることで確実に清掃ができ、特に、ブラシ板４１が車輪３１を下端面から突出させた状態で支持した走行体３に支持されているので前記高さ方向位置調節ねじ５１を操作して走行体３の高さ方向位置が調節されて引戸１０が上下方向に建て付け位置を変化させたとしてもブラシ板４１はレール７との距離を常に一定に保つので別途に高さ位置を調節する必要なく、そのまま清掃状態が維持される。
【００２４】
加えて、本実施の形態では、ブラシ４２が車輪３１の周囲を囲んで配置されるので車輪３１が走行するレール７の前後左右方向を確実に清掃するばかりか、ブラシ４２が車輪３１の周囲を囲んで配置されるので走行音が吸収されて防音効果を発揮することもできる。
【００２５】
更に、本実施の形態では、図５（ａ）に示すように、前記ブラシ４２の端面が前記レール７の溝条７１の断面に合わせた形状であることにより、ブラシ４２がレール７の溝条７２に沿ってほぼ直立状態で接するので清掃効果が高いとともにブラシ４２に余分な負荷が作用しないので無駄な消耗が防げるという利点を有している。ただ、ブラシ４２の材質を選択する場合には図５（ｂ）に示したように平滑な当接面であっても十分に機能を発揮させることができる。
【００２６】
尚、本実施の形態ではブラシ４２として通常ブラシとして認識される合成樹脂材による線材や獣毛等により形成されたものを示したが、ブラシ４２はブラシ効果を得られるものであればよく、例えば通常洗浄に用いられる発泡体や布等であっても良いことは言うまでもない。
【図面の簡単な説明】
【００２７】
【図１】本発明における実施の形態の側面図。
【図２】図１の縦断面図。
【図３】図１の正面図。
【図４】図１の底面図。
【図５】（ａ）は図１に示した実施の形態におけるブラシ部材の部分を示す正面拡大図、（ｂ）異なる実施の形態におけるブラシ部材の部分を示す正面拡大図。
【図６】図１に示した実施の形態における本発明の要部を示す分解斜視図。
【図７】異なる実施の形態における本発明の要部を示す分解斜視図。
【符号の説明】
【００２８】
１  戸車、２  取付けケース、３  走行体、４  ブラシ部材、７  レール、１０  引戸、３１  車輪、３２  車軸、４１  ブラシ板、４２  ブラシ、４３  側板、４５  テープ材、４６  透窓、５１  高さ方向位置調節ねじ、７１  溝条
【図１】
2008025300.tif 000003
【図２】
2008025300.tif 000004
【図３】
2008025300.tif 000005
【図４】
2008025300.tif 000006
【図５】
2008025300.tif 000007
【図６】
2008025300.tif 000008
【図７】
2008025300.tif 000009